【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
遷臨界冷却システムであって、
動作流体流れループと、
動作流体流れループから動作流体を受け入れると共に、動作流体流れループへの送出のために動作流体を超臨界圧力まで圧縮するために動作流体流れループに接続される圧縮機と、
動作流体流れループから動作流体を受け入れて動作流体流れループへと戻すために動作流体流れループに接続される鑞付けプレート熱交換器とを備え、
鑞付けプレート熱交換器は、動作流体のための高圧流路を形成する複数の鑞付け積重ね板半組立体を含み、該鑞付け積重ね板半組立体は、動作流体と第２流体との間で熱を移すため、該第２流体のための第２の組の流路と交互配置され、
前記鑞付けプレート熱交換器は、
前記半組立体を形成する複数の板の組と、
第２流体のための前記第２の組の流路を形成するために該板の組間に挟み込まれる複数の撹拌板と、
該各板の組間に延びる補強材とを備え、
前記板の組は、第１入口開口から第１出口開口へと延びる複数の流れチャネルを囲み、各流れチャネルは、１ｍｍ未満の水力直径を有し、該板の組は積重ね体として配列され、前記第１入口開口は互いに整列して、第１流体を前記流れチャネルへと分配するための第１入口マニホルドを形成し、前記第１出口開口は互いに整列して、前記流れチャネルから第１流体を集めるための第１出口マニホルドを形成し、
前記各撹拌板は前記板の組間に挟まれて該板の組に対し構造的支持を与え、
前記補強材は、前記第１入口開口及び第１出口開口と整列し、かつ前記板の組間に前記第１入口マニホルド及び第１出口マニホルドを形成する遷臨界冷却システム。
【請求項２】
前記補強材は、前記板の組間に挟み込まれる複数のワッシャからなる請求項１の遷臨界冷却システム。
【請求項３】
前記第１入口開口及び第１出口開口は円形開口であり、各ワッシャは、該第１入口開口及び第１出口開口の対応する一つに受け入れられる環状段部を含む請求項２の遷臨界冷却システム。
【請求項４】
前記各板の組の板間に挟まれるチャネル板の組を更に備え、溝が各チャネル板を通って延びて、該チャネル板の組の他方のチャネル板の溝と共に、前記流れチャネルを形成する請求項１の遷臨界冷却システム。
【請求項５】
前記各板の組の板は延伸カップ板であり、該各板の組の板の一つは、前記流れチャネルを形成するためにくぼみが付けられる請求項１の遷臨界冷却システム。
【請求項６】
前記第１入口開口及び第１出口開口は円形開口であり、
前記補強材は、第１入口開口を通って延びる円筒入口ヘッダー管であって、該入口ヘッダー管の外側面が前記各板の組の各板における第１入口開口の周囲部に鑞付けされる入口ヘッダー管と、第１出口開口を通って延びる円筒出口ヘッダー管であって、該出口ヘッダーの外側面が前記各板の組の各板における第１出口開口の周囲部に鑞付けされる出口ヘッダー管とを備える請求項１の遷臨界冷却システム。
【請求項７】
前記各ヘッダー管は複数のスロットを含み、各スロットは、対応する板の組の流れチャネルと整列する請求項６の遷臨界冷却システム。
【請求項８】
前記各板の組は、該板の組を通って延びる一組のシール開口を更に含み、該各板の組の該一組のシール開口の一方は、隣り合う板の組の一組のシール開口の一方と整列して、第２流体のための流路に対して第２流体を分配する第２入口マニホルドを形成し、該各板の組の該一組のシール開口の他方は、隣り合う板の組の一組のシール開口の他方と整列して、第２流体のための流路から第２流体を集める第２出口マニホルドを形成する請求項１の遷臨界冷却システム。
【請求項９】
該熱交換器の上方外面を形成する上板と、
第２流体のための流路を形成すると共に、該板の組に構造的支持を与えるため、該上板と該板の組の最上位の一つとの間に挟まれる撹拌板と、
該熱交換器の下方外面を形成する底板と、
第２流体のための流路を形成すると共に、該板の組に構造的支持を与えるため、該底板と該板の組の最下位の一つとの間に挟まれる撹拌板とを更に備えた請求項１の遷臨界冷却システム。
【請求項１０】
前記各撹拌板は切開オフセットフィンである請求項１の遷臨界冷却システム。
【請求項１１】
遷臨界冷却システムであって、
動作流体流れループと、
動作流体流れループから動作流体を受け入れると共に、動作流体流れループへの送出のために動作流体を超臨界圧力まで圧縮するために動作流体流れループに接続される圧縮機と、
動作流体流れループから動作流体を受け入れて動作流体流れループへと戻すために動作流体流れループに接続される鑞付けプレート熱交換器とを備え、
鑞付けプレート熱交換器は、動作流体のための高圧流路を形成する複数の鑞付け積重ね板半組立体を含み、該鑞付け積重ね板半組立体は、動作流体と第２流体との間で熱を移すため、該第２流体のための第２の組の流路と交互配置され、
前記半組立体は複数の平板半組立体であり、各半組立体は、一組の外側平板と該外側平板間に挟まれる一組のチャネル板とを備え、該各外側平板及びチャネル板は、入口開口と、入口開口から離隔した出口開口とを有し、入口開口は互いに整列して第１入口マニホルドを形成し、出口開口は互いに整列して第１出口マニホルドを形成し、各チャネル板は複数の溝を含み、該溝は、該組の入口開口と出口開口との間に延びる、第１流体のための複数の流れチャネルを形成するため、該組の他方のチャネル板の溝と協同し、
前記鑞付けプレート熱交換器は、第２流体のための前記第２の組の流路を形成するために該半組立体間に挟み込まれる複数の撹拌板と、複数のワッシャとを備え、
前記撹拌板は、前記半組立体間に挟まれて該半組立体に対し構造的支持を与え、
前記ワッシャは、前記入口開口及び出口開口と整列し、かつ前記半組立体間に挟まれて該半組立体に対し構造的支持を与え、入口開口と整列したワッシャは、該半組立体間に第１入口マニホルドを形成し、出口開口と整列したワッシャは、該半組立体間に第１出口マニホルドを形成する遷臨界冷却システム。
【請求項１２】
前記外側板の入口開口及び出口開口は円形開口であり、各ワッシャは、該外側板を通って延びることなく、該外側板の入口開口及び出口開口の対応する一方に受け入れられる環状段部を含む請求項１１の遷臨界冷却システム。
【請求項１３】
前記各組のチャネル板の一方の溝は、入口開口と出口開口との間を縦方向に延び、該組の他方のチャネル板の溝は、前記一方のチャネル板の溝に対し横方向に延びる請求項１１の遷臨界冷却システム。
【請求項１４】
前記各半組立体は、該半組立体を通って延びる一組のシール開口を更に含み、該各半組立体の該一組のシール開口の一方は、隣り合う半組立体の一組のシール開口の一方と整列して、第２流体のための流路に対して第２流体を分配する第２入口マニホルドを形成し、該各半組立体の該一組のシール開口の他方は、隣り合う半組立体の一組のシール開口の他方と整列して、第２流体のための流路から第２流体を集める第２出口マニホルドを形成する請求項１１の遷臨界冷却システム。
【請求項１５】
前記半組立体間に挟み込まれる複数のスペーサ板を更に備え、各スペーサ板は、半組立体の隣り合う組間に挟まれ、かつ、該隣り合う組間に挟まれた撹拌板及びワッシャを囲んで第２流体のための流れスペースを密閉する請求項１４の遷臨界冷却システム。
【請求項１６】
該熱交換器の上方外面を形成する上板と、
第２流体のための流路を形成すると共に、半組立体に構造的支持を与えるため、該上板と該半組立体の最上位の一つとの間に挟まれる撹拌板と、
該熱交換器の下方外面を形成する底板と、
第２流体のための流路を形成すると共に、半組立体に構造的支持を与えるため、該底板と該半組立体の最下位の一つとの間に挟まれる撹拌板とを更に備えた請求項１１の遷臨界冷却システム。
【請求項１７】
前記各撹拌板は切開オフセットフィンである請求項１１の遷臨界冷却システム。
【請求項１８】
遷臨界冷却システムであって、
動作流体流れループと、
動作流体流れループから動作流体を受け入れると共に、動作流体流れループへの送出のために動作流体を超臨界圧力まで圧縮するために動作流体流れループに接続される圧縮機と、
動作流体流れループから動作流体を受け入れて動作流体流れループへと戻すために動作流体流れループに接続される鑞付けプレート熱交換器とを備え、
鑞付けプレート熱交換器は、複数の鑞付け積重ね板半組立体を含み、各積重ね板半組立体は離隔され、動作流体のための高圧流路を形成し、かつ、動作流体と第２流体との間で熱を移すため、半組立体間の第２流体のための第２の組の流路と交互配置される遷臨界冷却システム。
【請求項１９】
前記各半組立体は、合わせられた一組の延伸カップ板を備える請求項１８の遷臨界冷却システム。
【請求項２０】
前記各半組立体は、一組の外側平板と、該外側平板間に挟まれた一組のチャネル板とを備える請求項１８の遷臨界冷却システム。